(57)【要約】【課題】本発明は滑り止め組織布の編成方法に関し、特に補正下着等の衣服、靴の中敷等の身回品、さらにテニスラケット、ゴルフクラブ等のグリップに最適に使用でき、片面は肌触りが良いが、他面は、ポリウレタン・フィラメント等より編成される表層組織部により滑り止めに優れ、伸縮性、通気性を発揮する。【解決手段】合成繊維糸および／または天然繊維糸よりなるベース組織部編成用縦糸４により編成されるベース組織部２と、ポリウレタン・フィラメント、または合成繊維糸にゴムをデッピングしたり、コーティングするか、ゴム紐単体よりなる表層組織部編成用縦糸５（５Ａ，５Ｂ）によりベース組織部に対し表面側に所望ウェル、所望コースのコース取りにより縦編みされ、所望の編目組織柄Ｇ１，Ｇ２，Ｇ３をなす表層組織部３を備えた組織布１が編成される。【選択図】      図１
2004176214.tif 000002
【特許請求の範囲】
【請求項１】
合成繊維糸および／または天然繊維糸よりなるベース組織部編成用縦糸により編成されるベース組織部と、ポリウレタン・フィラメント、または合成繊維糸にゴムをデッピングしたり、コーティングするか、またはゴム紐単体よりなる表層組織部編成用縦糸により前記ベース組織部に対し表面側に所望ウェル、所望コースに縦編みされ、所望の編目組織柄をなす表層組織部を備えた組織布が編成されることを特徴とする滑り止め組織布の編成方法。
【請求項２】
合成繊維糸および／または天然繊維糸よりなるベース組織部編成用縦糸により編成されるベース組織部と、ポリウレタン・フィラメント、または合成繊維糸にゴムをデッピングしたり、コーティングするか、またはゴム紐単体よりなる少なくとも２通り以上の表層組織部編成用縦糸の一方が他方に対し前記ベース組織部の表面側に所望ウェル、所望コースに縦編みされ、所望の編目組織柄をなす表層組織部を備えた組織布が編成されることを特徴とする滑り止め組織布の編成方法。
【請求項３】
合成繊維糸および／または天然繊維糸よりなるベース組織部編成用縦糸により編成されるベース組織部と、ポリウレタン・フィラメント、または合成繊維糸にゴムをデッピングしたり、コーティングするか、またはゴム紐単体よりなる２通りの表層組織部編成用縦糸が前記ベース組織部の表面側に所望ウェル、所望コースに縦編みされ、所望の編目組織柄をなす表層組織部を備えた組織布が編成されることを特徴とする滑り止め組織布の編成方法。
【請求項４】
前記表層組織部は、ウェル方向に配索される第１の表層組織部編成用縦糸と、第２の表層組織部編成用縦糸とを組合わせて編込まれ、第１の表層組織部編成用縦糸は、編目組織柄の表面側にて前記ベース組織部および第２の表層組織部編成用縦糸の所望の編目に編込まれ、第２の表層組織部編成用縦糸は、裏面側と表面側と中間部とに配索されて前記ベース組織部および第１の表層組織部編成用縦糸の所望の編目に編込まれることを特徴とする請求項１，２，または３に記載の滑り止め組織布の編成方法。
【請求項５】
表層組織部編成用縦糸は、ウェル方向に配列される所望数本の筬目毎に配索されて各個にコース方向に配索される所望本数が組合わされることにより所望の編目組織柄が編成されることを特徴とする請求項１，２，３，または４に記載の滑り止め組織布の編成方法。
【請求項６】
表層組織部編成用縦糸は、ウェル方向に配列される所望数本の筬目毎に配列される２本１組であり、この表層組織部編成用縦糸により編み込まれるアトラス模様を組合わせて全体形状が略菱形の編目組織柄を編成することを特徴とする請求項１，２，３，４，または５に記載の滑り止め組織布の編成方法。
【請求項７】
表層組織部編成用縦糸は、ウェル方向に配列される所望数本の筬目毎に配列される２本１組であり、この表層組織部編成用縦糸により編み込まれるハーフ・ネット模様を組合わせて全体形状が２つの略五角形を背中合わせに組合わた編目組織柄を編成することを特徴とする請求項１，２，３，４，または５に記載の滑り止め組織布の編成方法。
【請求項８】
表層組織部編成用縦糸は、ウェル方向に配列される所望数本の筬目毎に配列される２本１組であり、この表層組織部編成用縦糸により編み込まれるパワー・ネット模様を組合わせて全体形状が略六角形の編目組織柄を編成することを特徴とする請求項１，２，３，４，または５に記載の滑り止め組織布の編成方法。
【請求項９】
表層組織部編成用縦糸は、ウェル方向に配列される所望数本の筬目毎に配列される２本１組であり、この表層組織部編成用縦糸によりデンビー模様の編目組織柄を編成することを特徴とする請求項１，２，３，４，または５に記載の滑り止め組織布の編成方法。
【請求項１０】
２通りの表層組織部編成用縦糸が組織布の編目組織柄を形成する編目の脚部、または該脚部が交叉して集束されてベース組織布の表面側に露呈されて編込まれることを特徴とする請求項１，２，３，４，５，６，７，８，または９に記載の滑り止め組織布の編成方法。
【請求項１１】
２通りの表層組織部編成用縦糸が組織布の編目組織柄を含む編目個所に集束されてベース組織布の表面側に露呈されて編込まれることを特徴とする請求項１，２，３，４，５，６，７，８，９，または１０に記載の滑り止め組織布の編成方法。
【請求項１２】
ベース組織部編成用縦糸と表層組織部編成用縦糸とにより編まれる組織布のベース組織部編成用縦糸に対する表層組織部編成用縦糸の混率が、５０〜８０重量％であることを特徴とする請求項１，２，３，４，５，６，７，８，９，１０，または１１に記載の滑り止め組織布の編成方法。
【請求項１３】
ベース組織部編成用縦糸の糸径が３３〜１６７（ＤＴ）であるのに対して表層組織部編成用縦糸の糸径が、４４〜６２０（ＤＴ）であることを特徴とする請求項１，２，３，４，５，６，７，８，９，１０，１１，または１２に記載の滑り止め組織布の編成方法。
【請求項１４】
ベース組織部編成用縦糸と表層組織部編成用縦糸とが目付２００〜８００ｇ／ｍ２であることを特徴とする請求項１，２，３，４，５，６，７，８，９，１０，１１，１２，または１３に記載の滑り止め組織布の編成方法。
【発明の詳細な説明】
【０００１】
【発明の属する技術分野】
本発明は滑り止め組織布の編成方法に関し、特に下着、補正下着等の衣服、また、帽子、靴の中敷、座布団、シーツ等の身回品、さらには、テニスラケット、ゴルフクラブ等のスポーツ用品のグリップに最適に使用でき、組織布の表裏何れか片面は、肌触りが良いが、組織布の何れか他面は、ポリウレタン・フィラメント等より編成される表層組織部が露出することにより滑り止め性に優れ、また、肌触り、滑らかさ、しなやかさ、光沢等の風合いが良好であり、しかも伸縮性、回復性、耐久性、強度、通気性、保温性も良好に発揮されるものである。
【０００２】
【従来の技術】
従来、特に女性が体形を整えるために補正下着がある。この補正下着には、例えば、胸から胴回りに装用するブラジャーや下肢に装用するガードルがあり、ブラジャーとガードルとを一体にしたものとしてはボディスーツがあった。
そして、ブラジャーは、カップ部の下部周縁や肩ひもに、またガードルは、ウエストの開口部周縁、腹部、ヒップ部の下縁、両肢を挿入するレッグホールの両肢の付け根部分に位置する裾部等に、さらにはボディスーツではブラジャー部のカップ部の下部周縁や肩ひもに、またガードル部では、ウエストの開口部周縁、腹部、ヒップ部の下縁、両肢を挿入するレッグホールの両肢の付け根部分に位置する裾部等の人体に接する各整容部にそれぞれゴム、接着剤等の粘着体を塗布することにより肌との密着性をはかり、ずり上がりやずり下がり等のずれを防止し、滑り止め機能を発揮するようにしたものがある（例えば特許文献１参照。）。
【０００３】
また、補正下着を製作するのに用いる組織布は、例えば腹、ウエスト部等の贅肉を引き締め、バスト・アップやヒップ・アップ等、被着者の体形を補正し、しかも、装用後に窮屈にならずに運動機能を発揮させるために伸縮布が用いられる。
この伸縮布として、例えば合成繊維糸や天然繊維糸にポリウレタン糸を編み込んだ編物組織の組織布がある。この編物組織の組織布に用いられるポリウレタン糸は、伸縮性を発揮することのほか、肌触り等の風合いを有し、強度を発揮し、さらには染料の付着性が良く、染色を容易にして洗濯による色落が生ずることなくするために、ポリウレタン糸の表面に他の繊維糸を捲回したカバーリング糸を使用して組織布を編成していた。
【０００４】
【特許文献１】
実開平６−７６３０５号公報（１−７頁、図１−図１０）
【０００５】
【発明が解決しようとする課題】
しかしながら、特許文献１に見られるように、特に女性が体形を整えるために装用する例えばブラジャー、ガードル、ボディスーツ等の補正下着の人体に密接する整容部にゴム等の粘着体を塗布することにより肌との密着性をはかり、ずり上がりやずり下がり等のずれを防止するようにしたものは、特に夏期などの高温下において使用者が汗等をかくと、むれによりかゆみを生ずる。また、粘着体が高温度により軟化したり、長時の使用や洗濯を繰り返し行うことにより品質が劣化して補正下着の整容部から脱落し、ずれ防止機能が損なわれる。しかも、補正下着の整容部個所への粘着体の塗布作業を必要とするので、製品の製作工程が増大し、製作効率が低いものであった。
また、ゴム等の粘着体による締付力により圧迫感を感じたり、肌に圧迫跡が付いたりしていた。
しかも、組織布自体の厚さが厚くなり、装用時に違和感を覚えたり、スカート、ズボン等の外衣の上からのラインが目立ち、不体裁になる。また、単位面積当たりの重量もかなり大きなものになっていた。
【０００６】
また、補正下着等を製作するためにポリウレタン糸の表面に他の繊維糸を捲回したカバーリング糸を用いて編成される上記従来の伸縮布は、伸縮性、肌触り等の風合い、染色を容易にする等に重点を置いて開発がされている観点から組織布の表面側または裏面側に敢えてポリウレタン糸が露呈せずに組織布の内部にポリウレタン糸は包み込まれるような配慮が施こされて編み込まれていた。
従って、従来、ポリウレタン糸の滑り止め機能に着目して開発がなされた編物組織布は在来、無かった。
【０００７】
本発明は上記従来の不都合を解決し、特に表面に何らの加工を施さないポリウレタン・フィラメントを用いて組織布の表面側に積極的に露呈するように編み込まれた１枚の組織布でありながら、一面は肌触り、滑らかさ、しなやかさ、光沢等の生地素材の本来の風合いを発揮し、少なくとも表面側の他面はポリウレタン・フィラメント等による滑り止め機能を確実に発揮し、また通気性、伸縮性、フィット性に優れ、回復力、強度、耐久性は抜群であり、しかも、組織布として厚さが薄く、軽量であり、特に、下着、補正下着等の衣服、また、帽子、靴の中敷、座布団、シーツ等の身回品、さらには、テニスラケット、ゴルフクラブ等のスポーツ用品のグリップに最適に使用でき、例えば下着、補正下着に適用した場合には、夏期等の高温下においてむれや血行不良によるかゆみを生ぜず、しかも粘着体を単に組織布に塗布するのとは異なり軟化することなく長時の使用や洗濯を繰り返して行っても品質が劣化したり、滑り止め材が脱落することなく、また、装用時に締付力による圧迫感はなく、肌に跡を生ぜず、そのうえ塗布作業が不用になり、製品の製作工程を簡略化して製作効率の向上がはかれ、さらには製作コストが安価な滑り止め組織布の編成方法を提供しようとする。
【０００８】
【課題を解決するための手段】
本発明の請求項１に記載の発明は、合成繊維糸および／または天然繊維糸よりなるベース組織部編成用縦糸により編成されるベース組織部と、ポリウレタン・フィラメント、または合成繊維糸にゴムをデッピングしたり、コーティングするか、またはゴム紐単体よりなる表層組織部編成用縦糸により前記ベース組織部に対し表面側に所望ウェル、所望コースに縦編みされ、所望の編目組織柄をなす表層組織部を備えた組織布が編成されることを特徴とするという手段を採用した。
【０００９】
また、本発明の請求項２に記載の発明は、合成繊維糸および／または天然繊維糸よりなるベース組織部編成用縦糸により編成されるベース組織部と、ポリウレタン・フィラメント、または合成繊維糸にゴムをデッピングしたり、コーティングするか、またはゴム紐単体よりなる少なくとも２通り以上の表層組織部編成用縦糸の一方が他方に対し前記ベース組織部の表面側に所望ウェル、所望コースに縦編みされ、所望の編目組織柄をなす表層組織部を備えた組織布が編成されることを特徴とするという手段を採用した。
【００１０】
また、本発明の請求項３に記載の発明は、合成繊維糸および／または天然繊維糸よりなるベース組織部編成用縦糸により編成されるベース組織部と、ポリウレタン・フィラメント、または合成繊維糸にゴムをデッピングしたり、コーティングするか、またはゴム紐単体よりなる２通りの表層組織部編成用縦糸が前記ベース組織部の表面側に所望ウェル、所望コースに縦編みされ、所望の編目組織柄をなす表層組織部を備えた組織布が編成されることを特徴とするという手段を採用した。
【００１１】
また、本発明の請求項４に記載の発明は、請求項１，２，または３において、前記表層組織部は、ウェル方向に配索される第１の表層組織部編成用縦糸と、第２の表層組織部編成用縦糸とを組合わせて編込まれ、第１の表層組織部編成用縦糸は、編目組織柄の表面側にて前記ベース組織部および第２の表層組織部編成用縦糸の所望の編目に編込まれ、第２の表層組織部編成用縦糸は、裏面側と表面側と中間部とに配索されて前記ベース組織部および第１の表層組織部編成用縦糸の所望の編目に編込まれることを特徴とするという手段を採用した。
【００１２】
また、本発明の請求項５に記載の発明は、請求項１，２，３，または４において、表層組織部編成用縦糸は、ウェル方向に配列される所望数本の筬目毎に配索されて各個にコース方向に配索される所望本数が組合わされることにより所望の編目組織柄が編成されることを特徴とするという手段を採用した。
【００１３】
また、本発明の請求項６に記載の発明は、請求項１，２，３，４，または５において、表層組織部編成用縦糸は、ウェル方向に配列される所望数本の筬目毎に配列される２本１組であり、この表層組織部編成用縦糸により編み込まれるアトラス模様を組合わせて全体形状が略菱形の編目組織柄を編成することを特徴とするという手段を採用した。
【００１４】
また、本発明の請求項７に記載の発明は、請求項１，２，３，４，または５において、表層組織部編成用縦糸は、ウェル方向に配列される所望数本の筬目毎に配列される２本１組であり、この表層組織部編成用縦糸により編み込まれるハーフ・ネット模様を組合わせて全体形状が２つの略五角形を背中合わせに組合わた編目組織柄を編成することを特徴とするという手段を採用した。
【００１５】
また、本発明の請求項８に記載の発明は、請求項１，２，３，４，または５において、表層組織部編成用縦糸は、ウェル方向に配列される所望数本の筬目毎に配列される２本１組であり、この表層組織部編成用縦糸により編み込まれるパワー・ネット模様を組合わせて全体形状が略六角形の編目組織柄を編成することを特徴とするという手段を採用した。
【００１６】
また、本発明の請求項９に記載の発明は、請求項１，２，３，４，または５において、表層組織部編成用縦糸は、ウェル方向に配列される所望数本の筬目毎に配列される２本１組であり、この表層組織部編成用縦糸によりデンビー模様の編目組織柄を編成することを特徴とするという手段を採用した。
【００１７】
また、本発明の請求項１０に記載の発明は、請求項１，２，３，４，５，６，７，８，または９において、２通りの表層組織部編成用縦糸が組織布の編目組織柄を形成する編目の脚部、または該脚部が交叉して集束されてベース組織布の表面側に露呈されて編込まれることを特徴とするという手段を採用した。
【００１８】
また、本発明の請求項１１に記載の発明は、請求項１，２，３，４，５，６，７，８，９，または１０において、２通りの表層組織部編成用縦糸が組織布の編目組織柄を含む編目個所に集束されてベース組織布の表面側に露呈されて編込まれることを特徴とするという手段を採用した。
【００１９】
また、本発明の請求項１２に記載の発明は、請求項１，２，３，４，５，６，７，８，９，１０，または１１において、ベース組織部編成用縦糸と表層組織部編成用縦糸とにより編まれる組織布のベース組織部編成用縦糸に対する表層組織部編成用縦糸の混率が、５０〜８０重量％であることを特徴とするという手段を採用した。
【００２０】
また、本発明の請求項１３に記載の発明は、請求項１，２，３，４，５，６，７，８，９，１０，１１，または１２において、ベース組織部編成用縦糸の糸径が３３〜１６７（ＤＴ）であるのに対して表層組織部編成用縦糸の糸径が、４４〜６２０（ＤＴ）であることを特徴とするという手段を採用した。
【００２１】
また、本発明の請求項１４に記載の発明は、請求項１，２，３，４，５，６，７，８，９，１０，１１，１２，または１３において、ベース組織部編成用縦糸と表層組織部編成用縦糸とが目付２００〜８００ｇ／ｍ２であることを特徴とするという手段を採用した。
【００２２】
【発明の実施の形態】
以下図面に従って本発明の実施の形態の具体例を説明する。
図１は本発明の滑り止め組織布の編成方法の第１一実施形態を示す組織図、図２は同じく斜視図、図３は同じく編目組織の一部を拡大して示した正面図、図４は同じく本発明の滑り止め組織布の編成方法の第２実施形態を示す組織図、図５は同じく本発明の滑り止め組織布の編成方法の第３実施形態を示す組織図である。
【００２３】
１は組織布であり、この組織布１はベース組織部編成用縦糸４により編成されるベース組織部２と表層組織部編成用縦糸５により編成される表層組織部３とを備え、前記表層組織部３は、前記ベース組織部２に対し表面側に所望ウェル、所望コースに縦編機を用いて縦編される。
この縦編機としては、例えばカールマイヤー社製（独国）のＲＳＥ４Ｎ−３Ｋの固定針床形式の縦編機が使用される。
【００２４】
前記ベース組織部編成用縦糸４は、合成繊維糸、本実施形態では、糸径が３３〜１６８（ＤＴ）のポリエステル繊維糸が使用されるが、このベース組織部編成用縦糸４としては、前述のポリエステル繊維糸に限られず、そのほかの合成樹脂繊維糸、例えばポリアミド繊維糸、ポリエチレン繊維糸、ポリプロピレン繊維糸、ポリビニールアルコール繊維糸、ポリアクリル繊維糸、ポリ塩化ビニール繊維糸、および／または天然繊維糸が使用される。この天然繊維糸は、例えば木綿、麻、絹、羊毛などがあり、これは例示であり、天然繊維糸と前記合成繊維糸の１または２種の何れかが混合され、紡糸された編糸を用いてもよい。
【００２５】
前記表層組織部３は、少なくとも２通り以上の表層組織部編成用縦糸５，５・・・、本実施形態では、図１、図２のウェル方向Ｘに配索される第１の後記表層組織部編成用縦糸５Ａと、第２の表層組織部編成用縦糸５Ｂとを用いて一方の表層組織部編成用縦糸５Ａが他方の表層組織部編成用縦糸５Ｂに対し前記ベース組織部２の表面側に所望ウェル、所望コースにより組合わせて編込まれ、縦編される。
【００２６】
また、前記表層組織部編成用縦糸５は、本実施形態では、糸径が４４〜６２０（ＤＴ）のポリウレタン・フィラメントが、使用されるが、この範囲は代表的な例示である。また、表層組織部編成用縦糸５は、前述のポリウレタン・フィラメントのほかに前述のような合成繊維糸に天然ゴムまたは合成ゴム等のゴムをデッピングしたものやまたは、ゴムをコーティングしたものを用いるか、さらには、ゴム紐単体を用いることもできる。
【００２７】
この明細書において、表層組織部３を編成するための表層組織部編成用縦糸５が２通り、または２通り以上とは、例えば第１の表層組織部編成用縦糸５Ａと、第２の表層組織部編成用縦糸５Ｂとのそれぞれの糸径が太いかまたは細いかの相違、また、第１の表層組織部編成用縦糸５Ａと、第２の表層組織部編成用縦糸５Ｂとの材質が硬軟異なる材料により形成したものを用いるか、またはそれぞれ伸縮度が異なる材料により形成されるものを用いるか、また引っ張り、曲げ、圧縮等の強度がそれぞれ異なる材料により形成されるものを用いるか、さらには相互に編込み方が相違する等、表層組織部３の編成時に相互に相手側とは異なる要素を備えるものをいう。
【００２８】
そして、第１の表層組織部編成用縦糸５Ａは、編目組織柄Ｇ１の表面側にて前記ベース組織部２および第２の表層組織部編成用縦糸５Ｂの所望の編目Ｍに編込まれ、また、第２の表層組織部編成用縦糸５Ｂは、裏面側と表面側と中間部とに配索されて前記ベース組織部２および第１の表層組織部編成用縦糸５Ａの所望の編目Ｍに編込まれる。
【００２９】
また、表層組織部編成用縦糸５は、図１，図２に示すようにウェル方向Ｘ（列方向）に所望ゲージにて配列される所望数本の筬目毎に配索されて各個に編込み方が設定される所望本数が組合わされることにより所望の編目組織柄Ｇ１が編成される。
すなわち、本実施形態では図１および図２に示すように、ウェル方向Ｘ（列方向）に配列される４本の箴毎に配索される同種にして且つ２本１組の表層組織部編成用縦糸５Ａ，５Ｂにより、図１、図２の想像線で描いた囲みＡ内に示すようなベース組織部編成用縦糸４にて編成される４コースアトラスのベース組織部２の表面に、図１、図２の囲みＢ，Ｂ′内に想像線で描いたように６コースアトラスのアトラス模様を組合わして編成する全体が菱形をなす編目組織柄Ｇ１に形成される。また、図１および図２中においてＭ１は閉じ目、またＭ２は開き目である。
【００３０】
さらに本実施形態の滑り止め組織布の編成方法をさらに具体的に述べると、先ず、ベース組織部２は、図１の囲みＡ内に示すように閉じ目Ｍ１から出発してウェル方向Ｘに左へ１コースほど開き目Ｍ２を介して編み込まれ、さらにウェル方向Ｘに左へ１コース進んで３コース目が閉じ目Ｍ１として編み込まれる。それから、ウェル方向Ｘに右へ１コースほど開き目Ｍ２を介して編み込まれ、囲みＡ内の１サイクルが完了する。
こうして、囲みＡ内の１サイクルを連続してベース組織部２のベース組織部編成用縦糸４は、表層組織部３の第１のベース組織部編成用縦糸５Ａと、第２のベース組織部編成用縦糸５Ｂとに連続して編み込まれることによりベース組織部２は編成される。
【００３１】
第１の表層組織部編成用縦糸５Ａは、例えば図１の囲みＢ内に示すように、閉じ目Ｍ１から出発してウェル方向Ｘに右へ２コースほど開き目Ｍ２，Ｍ２を介して編み込まれ、さらにウェル方向Ｘに右へ１コース進んで４コース目が閉じ目Ｍ１として編み込まれる。それから、ウェル方向Ｘに左へ２コースほど開き目Ｍ２，Ｍ２を介して編み込まれ、囲みＢ内の１サイクルが完了する。このように、囲みＢ内の１サイクルを縦に連続してベース組織部２のベース組織部編成用縦糸４と表層組織部３の第２のベース組織部編成用縦糸５Ｂとに対して連続して編み込まれる。
【００３２】
また、第２の表層組織部編成用縦糸５Ｂは、例えば図１の囲みＢ′内に示すように、閉じ目Ｍ１から出発してウェル方向Ｘを左へ２コースほど開き目Ｍ２，Ｍ２を介して編み込まれ、さらにウェル方向Ｘを左へ１コース進んで４コース目が閉じ目Ｍ１として編み込まれる。それから、ウェル方向Ｘを右へ２コースほど進んで開き目Ｍ２，Ｍ２を介して編み込まれ、囲みＢ′内の１サイクルが完了する。このように、囲みＢ′内の１サイクルを連続してベース組織部２のベース組織部編成用縦糸４と表層組織部３の第１のベース組織部編成用縦糸５Ａとに対して連続して縦に編み込まれる。
こうして、前述のように、第１の表層組織部編成用縦糸５Ａと、第２の表層組織部編成用縦糸５Ｂとにより６コースアトラスのアトラス模様を組合わして編成する全体が菱形をなす編目組織柄Ｇ１が形成される。
【００３３】
また、本実施形態で編成されるベース組織部編成用縦糸４と表層組織部編成用縦糸５とは、目付２００〜８００ｇ／ｍ２である。
この編目Ｍの目付の数値範囲は、組織布１自体の用途に合わせて通気性、発汗性、保温性、伸縮性、フィット性、回復性、強度、耐久性等を考慮して第１、第２の表層組織布５Ａ，５Ｂによる滑り止め機能が充分に発揮されるように選定される。
【００３４】
また、ベース組織部編成用縦糸４と表層組織部編層用縦糸５とにより編まれる組織布１のベース組織部編成用縦糸４に対する表層組織部編成用縦糸５の混率は、本実施形態では、５０〜８０重量％含まれる。しかも、前述のように、ベース組織部編成用縦糸４の糸径が３３〜１６７（ＤＴ）であるのに対して表層組織部編成用縦糸５の糸径が、４４〜６２０（ＤＴ）である。
【００３５】
このように、表層組織部編成用縦糸５の糸径を、ベース組織部編成用縦糸４の糸径よりも太くしたのは、本実施形態では１枚の組織布１の一面（例えば裏面側）は、生地本来の風合い、例えば肌触り、滑らかさ、しなやかさ、光沢等を発揮するとともに、厚さが薄く軽量であり、充分な強度を有するが、この組織布１の他面（例えば表面側）は、ウェル方向Ｘ（列方向）に配列される所望数本の筬目毎に配索されて各個に編込みがなされる同種にして２本、すなわち２通りの表層組織部編成用縦糸５Ａ，５Ｂの組合わせにより編成される所望の編目組織柄Ｇ１、例えば図１、図２の想像線で描かれた囲みＢ，Ｂ′内に示すような６コースアトラスに編成される全体形状が菱形の編目組織柄Ｇ１によりウェル方向Ｘおよびコース方向Ｙへのいずれの方向にも滑り止め機能を充分に発揮する組織布１を編成するためである。
【００３６】
そして、ベース組織部編成用縦糸４と表層組織部編成用縦糸５とにより編まれる組織布１のベース組織部編成用縦糸４に対する表層組織部編成用縦糸５の混率は、本実施形態では、７０〜８０重量％含まれるので、１枚の組織布１であり、厚みが薄くて軽量でも、一面がベース組織部２となし、他面は充分な滑り止め機能を発揮する表層組織部３が編成された組織布１が得られる。
【００３７】
そして、ポリウレタン・フィラメントよりなる第１の表層組織部編成用縦糸５Ａと、第２の表層組織部編成用縦糸５Ｂとによりベース組織部２の一面（例えば表面側）に露呈して編み込まれる図１，図２，図３に示すように全体が菱形をなすアトラス模様の編目組織柄Ｇ１の中で滑り止め機能を発揮する個所は、例えば第１には網目組織柄Ｇ１を形成する網目Ｍのループ部分はもちろん、むしろ表層組織部３の表面側に長い線分にて配向されて線状に露呈される脚部Ｆが挙げられる。
【００３８】
また、滑り止め機能を有効に発揮する編目組織柄Ｇ１中における第２は、アトラス模様として全体が菱形をなす編目組織柄Ｇ１における菱形相互が連続する個所、すなわち、ポリウレタン・フィラメントよりなる第１の表層組織部編成用縦糸５Ａと、第２の表層組織部編成用縦糸５Ｂとにより組織布１として編成される編目Ｍの脚部Ｆ，Ｆが交叉することにより表層組織部３の表面側に露呈される図１の囲みＰ１に示す個所は、第１の表層組織部編成用縦糸５Ａと、第２の表層組織部編成用縦糸５Ｂとの単位面積当たりの露呈密度が高くなるので、滑り止め機能が充分に発揮される。
【００３９】
また、本実施形態で使用されるベース組織部編成用縦糸４は、前述のようにポリエステル繊維糸を使用してベース組織部２を編成しているが、これは代表的な例示であり、これに限ることなく、そのほかに例えば合成樹脂繊維糸、例えばポリアミド繊維糸、ポリエチレン繊維糸、ポリプロピレン繊維糸、ポリビニールアルコール繊維糸、ポリアクリル繊維糸、ポリ塩化ビニール繊維糸、および／または例えば木綿、麻、絹、羊毛など天然繊維糸を用いてベース用組織部２を編成するようにしてもよい。
【００４０】
また、表層組織部３は、前述のようにウェル方向Ｘに配索される第１の表層組織部編成用縦糸５Ａと、第２の表層組織部編成用縦糸５Ｂとを組合わせて編込まれる。このうち、第１の表層組織部編成用縦糸５Ａは、編目組織柄Ｇ１の表面側にて前記ベース組織部２および第２の表層組織部編成用縦糸５Ｂの所望の編目Ｍに編込まれ、しかも、第２の表層組織部編成用縦糸５Ｂは、裏面側と表面側と中間部とに配索されて前記ベース組織部２および第１の表層組織部編成用縦糸５Ａの所望の編目Ｍに編込まれるので、表層組織部３はウェル方向Ｘ、コース方向Ｙ、さらには厚み方向Ｔへの３次元網目構造に編成される（図３参照）。
【００４１】
こうして、組織布１としてはポリウレタン・フィラメントよりなる第１の表層組織部編成用縦糸５Ａと第２の表層組織部編成用縦糸５Ｂとが表面側に表れるため、組織布１自体は伸縮性に富み、回復性にも優れる。しかも、組織布１を長時の使用や繰り返して洗濯を行った場合にもポリウレタン・フィラメントよりなる第１の表層組織部編成用縦糸５Ａと第２の表層組織部編成用縦糸５Ｂとが、伸縮性を発揮するのとベース組織部２が引っ張り、曲げ、圧縮等の強度を発揮するので、変形や形崩れがなく、耐久性に優れる。
【００４２】
このように、表層組織部３はウェル方向Ｘ、コース方向Ｙ、さらには厚み方向Ｔへの２層の３次元網目構造に編成されるので、組織布１自体は、通気性、発汗性、保温性にも優れる。
従って、本実施形態の組織布１を例えば特に女性が体形を整えるために装用する例えばブラジャーのカップ部の下縁と、側面と、肩紐、またガードルのウエスト開口部、腹部、ヒップ部の下縁、両肢を挿入するレッグホールの両肢の付け根部分に位置する裾部、またボディスーツでは、ブラジャー部のカップ部の下部周縁、側面、肩紐、またガードル部では腹部、ヒップ部の下縁、両肢を挿入するレッグホールや両肢を挿入する両肢の付け根部分に位置する裾部、さらには、キャミソールでは、ブラジャーの左右のカップ部の下部周縁、該カップ部の左右の側面、肩紐、ウエスト部の下縁等の補正下着のように人体に密接する整容部に用いれば、使用者が運動するのに追従して伸縮性、回復性に富み、また組織布の表面側に表れる第１の表層組織部編成用縦糸５Ａと、第２の表層組織部編成用縦糸５Ｂとによる滑り止め機能により補正下着の不用意なずれ動きやめくり上がりがなくなり、通気性、発汗性に優れるため、特に夏期などの高温下において使用者が汗等をかく場合にも、むれによりかゆみを生じない。そして、ゴム等の粘着体を塗布することにより肌との密着性をはかるという特許文献１に記載の従来の考案とは異なり粘着体が高温度により軟化したり、しかも、組織布１は伸縮性に富み、回復性に優れているので、長時の使用や洗濯を繰り返し行うことにより品質が劣化して補正下着が整容部から脱落し、ずれ防止機能が損なわれることはなく、しかも、補正下着の整容部個所への粘着体の塗布作業が不要になるため、製品の製作工程が増大することなく、製作効率は向上する。
【００４３】
また、本実施形態の組織布１は、人体にフィットさせて着用する例えば前述のガードルのほか、例えばスパッツ、スポーツ用タイツ等の股部を有する下半身用衣類のウエスト部分の裏側やレッグホールの両股の付け根部分の裏側に装着するように使用すれば、滑り止め手段としてゴムテープなどを装着するのとは異なり、ゴムテープの締付力により圧迫感を感じたり、肌にゴムテープの食い込み跡が付くことなく、むれや血行不良によるかゆみを生ずることはない。しかも、ゴムテープを覆い隠すための縁折返し処理や縫製作業が不要になり、製品の製作工程が増大することなく、製作効率が高くなるとともにゴムテープの装着個所の厚みが厚くなって装用時に違和感を覚えたり、また、スカート、ズボン等の外衣の上からゴムテープの敷設個所のラインが目立ち、不体裁になることなく夏期などの高温下においてもむれを生ずることなく、かゆみを覚えない。
【００４４】
また、図４は本発明の第２実施形態を示す。
この実施形態では、ベース組織部２の表面側に編み込まれる表層組織部３の表層組織部編成用縦糸５は、ウェル方向Ｘに配列される所望数本の筬目毎に配列されるポリウレタン・フィラメントよりなる２通りの表層組織部編成用縦糸５Ａ，５Ｂよりなる２本１組である点は前記第１実施形態と同様の構成であるが、本実施形態では、この表層組織部編成用縦糸５Ａ，５Ｂにより編み込まれるハーフ・ネット模様を組合わせて全体形状が２つの略五角形を背中合わせに組合わた編目組織柄Ｇ２を編成する構成である。
【００４５】
すなわち、第１の表層組織部編成用縦糸５Ａは、例えば図４の囲みＣ内に示すように、閉じ目Ｍ１から出発してウェル方向Ｘを右へ１コース進み、次いで左へ１コースへと戻り、再び右へ２ウェルへと進み、それぞれ閉じ目Ｍ１，Ｍ１，Ｍ１が編み込まれて３コース進む。その後、左へ１ウェル、１コース、また、右へ１ウェル、１コースほど進んで閉じ目Ｍ１，Ｍ１が編み込まれ、囲みＣ内の１サイクルが完了する。このように、囲みＣ内の１サイクルを縦に連続してベース組織部２と表層組織部３のベース組織部編成用縦糸４と第２のベース組織部編成用縦糸５Ｂとに連続して編み込まれる。
【００４６】
また、第２の表層組織部編成用縦糸５Ｂは、例えば図４の囲みＣ′内に示すようにとじ目Ｍ１から出発してウェル方向Ｘを左へ１コース進み、次いで右へ１コース戻り、再び左へ２ウェルへと進んで閉じ目Ｍ１，Ｍ１，Ｍ１が編み込まれて３コース進む。その後、右へ１ウェル、１コース、さらに、左へ１ウェル、１コースほど進み、閉じ目Ｍ１，Ｍ１が編み込まれ、囲みＣ′内の１サイクルが完了する。このように、囲みＣ′内の１サイクルを連続してベース組織部２のベース組織部編成用縦糸４と表層組織部３の第１のベース組織部編成用縦糸５Ａとに連続して編み込まれる。
そして、前述のように、第１の表層組織部編成用縦糸５Ａと、第２の表層組織部編成用縦糸５Ｂとにより６コースハーフ・ネットの全体形状が２つの略五角形を背中合わせに組合わた編目組織柄Ｇ２を編成する。
【００４７】
このようにして編成される１枚の組織布１の一面（例えば裏面側）は、生地本来の風合い、例えば肌触り、滑らかさ、しなやかさ、光沢等を発揮するとともに、厚さが薄く軽量であり、充分な強度を有するが、この組織布１の他面（例えば表面側）は、ウェル方向Ｘ（列方向）に配列される所望数本の筬目毎に配索されて各個にコース取りがなされる同種にして２本の表層組織部編成用縦糸５Ａ，５Ｂの組合わせにより編成される所望の編目組織柄Ｇ２、例えば図４の想像線で描かれた囲みＣ，Ｃ′内に示すような６コースハーフ・ネットに編成される全体形状が２つの略五角形を背中合わせに組合わた編目組織柄Ｇ２によりウェル方向Ｘおよびコース方向Ｙへのいずれの方向にも滑り止め機能を充分に発揮する組織布１がを編成されるほかは、前記実施形態と同様な構成、作用である。
【００４８】
また、図５は本発明の第３実施形態を示す。
この実施形態では、ベース組織部２の表面側に編み込まれる表層組織部３の表層組織部編成用縦糸５は、ウェル方向Ｘに配列される所望数本の筬目毎に配列されるポリウレタン・フィラメントよりなる２通りの表層組織部編成用縦糸５Ａ，５Ｂよりなる２本１組である点は前記第１実施形態、第２実施形態と同様の構成であるが、本実施形態では、この表層組織部編成用縦糸５Ａ，５Ｂにより編み込まれるパワー・ネット模様を組合わせて全体形状が略六角形の編目組織柄Ｇ３を編成する構成である。
【００４９】
すなわち、第１の表層組織部編成用縦糸５Ａは、例えば図５の想像線で示す囲みＤ内のように、閉じ目Ｍ１から出発してウェル方向Ｘを右へ１コースだけ進み開き目Ｍ２が編み込まれる。次いで１コース分縦へ進み、閉じ目Ｍ１を編成する。その後、ウェル方向Ｘを右へ１コース進み、閉じ目Ｍ１を編成し、それからウェル方向Ｘを左へ１コース進み、開き目Ｍ２を編成し、さらに１コース分縦へ進み、閉じ目Ｍ１を編成し、囲みＤ内の１サイクルが完了する。このように、囲みＤ内の１サイクルを連続してベース組織部２のベース組織部編成用縦糸４と表層組織部３の第２のベース組織部編成用縦糸５Ｂとに連続して編み込まれる。
【００５０】
また、第２の表層組織部編成用縦糸５Ｂは、例えば図５の囲みＤ′内に示すように、閉じ目Ｍ１から出発してウェル方向Ｘを左へ１コースだけ進み、開き目Ｍ２が編み込まれる。次いで１コース分縦へ進み、閉じ目Ｍ１を編成する。その後、ウェル方向Ｘを左へ１コース進み、閉じ目Ｍ１を編成し、それからウェル方向Ｘを右へ１コース進み、開き目Ｍ２を編成し、さらに１コース分縦へ進み、閉じ目Ｍ１を編成し、囲みＤ′内の１サイクルが完了する。このように、囲みＤ′内の１サイクルを連続してベース組織部２のベース組織部編成用縦糸４と表層組織部３の第１のベース組織部編成用縦糸５Ａとに連続して編み込まれる。
こうして、前述のように、第１の表層組織部編成用縦糸５Ａと、第２の表層組織部編成用縦糸５Ｂとにより６コースパワー・ネットの全体形状が略六角形の編目組織柄Ｇ３が編成される。
【００５１】
このようにして編成される１枚の組織布１も前記第１実施形態、第２実施形態と同様に、一面は、生地本来の風合い、例えば肌触り、滑らかさ、しなやかさ、光沢等を発揮するとともに、厚さが薄く軽量であり、充分な強度を有するが、この組織布１の他面、すなわち表面側は、ウェル方向Ｘ（列方向）に配列される所望数本の筬目毎に配索されて各個にコース取りがなされる同種にして２本の表層組織部編成用縦糸５Ａ，５Ｂの組合わせにより編成される所望の編目組織柄Ｇ３、例えば図５の想像線で描かれた囲みＤ，Ｄ′内に示すような６コースパワー・ネットに編成される全体形状が略六角形の編目組織図柄Ｇ３によりウェル方向Ｘおよびコース方向Ｙへのいずれの方向にも滑り止め機能を充分に発揮する組織布１がを編成されるほか、前記第１実施形態および第２実施形態と同様な構成、作用である。
【００５２】
また、前記第１実施形態、第２実施形態、第３実施形態において、組織布１の表面側の一面のみに表層組織部２の編目組織柄Ｇ１，Ｇ２，Ｇ３を編成する場合を代表的に説明したが、これに限ることなく例えば組織布１の裏面側の他面のみ、さらには表面側および裏面側の両面に表層組織部２の編目組織柄Ｇ１，Ｇ２，Ｇ３を形成してもよい。
また、前記第１実施形態、第２実施形態、第３実施形態において、表層組織部編成用縦糸５は、糸径が４４〜６２０（ＤＴ）のポリウレタン・フィラメントが、使用されるが、これは代表的な例示であり、糸径の増減変更は自由である。
また、使用される表層組織部編成用縦糸５は、本実施形態のようにポリウレタン・フィラメントに限ることなく、例えば合成繊維糸に天然ゴムまたは合成ゴム等のゴムをデッピングしたものやまたは、ゴムをコーティングしたものを用いたり、さらには、ゴム紐単体を用いて表層組織部３を編成することもできる。
【００５３】
また、上記各実施形態で使用される組織布１は、上記説明のように補正下着に使用する場合に限らず、例えば、コート、上着等のアウター、下着、生理用パンツ等のインナー、ナイティー、ズボン、パジャマ、水着等の衣服；帽子、靴の中敷、スリッパ、座布団、座布団カバー、シーツ、手袋等の身回品；テニスラケット、ゴルフクラブ、バット等のスポーツ用品のグリップの滑り止めとして有効に使用することもでき、用途は広範におよぶ。
【００５４】
また、上記各実施形態でベース組織部２を形成するために使用されるベース組織部編成用縦糸４は、前述のポリエステル繊維糸を使用してベース用組織部２を編成しているが、これは代表的な例示であり、これに限ることなく、そのほかに例えば合成樹脂繊維糸、例えばポリアミド繊維糸、ポリエチレン繊維糸、ポリプロピレン繊維糸、ポリビニールアルコール繊維糸、ポリアクリル繊維糸、ポリ塩化ビニール繊維糸、および／または例えば木綿、麻、絹、羊毛など天然繊維糸を用いてベース組織部２を編成するようにしてもよい。
【００５５】
また、上記各実施形態において、表層組織部３を編成するための前記表層組織部編成用縦糸５は、糸径が４４〜６２０（ＤＴ）の２本のポリウレタン・フィラメントを組合わせて使用されるアトラス編、ハーフ・ネット編、パワー・ネット編により編成される編目組織柄Ｇ１，Ｇ２，Ｇ３により滑り止め機能を有効に発揮する場合を代表的な例示として説明したが、糸の太さ、糸の本数の増減変更は自由であり、表層組織部３に編成するための組織図柄も図示する図柄に限ることなく、図には示さないが例えばデンビー模様（ジグザグ模様）、そのほかの組織柄であってもよく、さらには編み方は上記各実施形態に限ることなく、例えば縦平編、縦ゴム編、トリコネット編、メッシュ編、トリスキン編、トリコット編、サテン編、またはそれらを組合わせた縦編みでもよく、要はベース組織部２の片面に所望複数本の表層組織部編成用縦糸５を用いて２層の網目構造の表層組織部３を形成するようにする場合も本発明の適用範囲である。
【００５６】
【発明の効果】
本発明の請求項１に記載の発明は以上のように、合成繊維糸および／または天然繊維糸よりなるベース組織部編成用縦糸により編成されるベース組織部と、ポリウレタン・フィラメント、または合成繊維糸にゴムをデッピングしたり、コーティングするか、またはゴム紐単体よりなる表層組織部編成用縦糸により前記ベース組織部に対し表面側に所望ウェル、所望コースに縦編みされ、所望の編目組織柄をなす表層組織部を備えた組織布が編成されることを特徴とし、また、本発明の請求項２に記載の発明は、合成繊維糸および／または天然繊維糸よりなるベース組織部編成用縦糸により編成されるベース組織部と、ポリウレタン・フィラメント、または合成繊維糸にゴムをデッピングしたり、コーティングするか、またはゴム紐単体よりなる少なくとも２通り以上の表層組織部編成用縦糸の一方が他方に対し前記ベース組織部の表面側に所望ウェル、所望コースに縦編みされ、所望の編目組織柄をなす表層組織部を備えた組織布が編成されることを特徴とし、また、本発明の請求項３に記載の発明は、合成繊維糸および／または天然繊維糸よりなるベース組織部編成用縦糸により編成されるベース組織部と、ポリウレタン・フィラメント、または合成繊維糸にゴムをデッピングしたり、コーティングするか、またはゴム紐単体よりなる２通りの表層組織部編成用縦糸が前記ベース組織部の表面側に所望ウェル、所望コースに縦編みされ、所望の編目組織柄をなす表層組織部を備えた組織布が編成されることを特徴とし、また、本発明の請求項４に記載の発明は、請求項１，２，または３において、前記表層組織部は、ウェル方向に配索される第１の表層組織部編成用縦糸と、第２の表層組織部編成用縦糸とを組合わせて編込まれ、第１の表層組織部編成用縦糸は、編目組織柄の表面側にて前記ベース組織部および第２の表層組織部編成用縦糸の所望の編目に編込まれ、第２の表層組織部編成用縦糸は、裏面側と表面側との中間部に配索されて前記ベース組織部および第１の表層組織部編成用縦糸の所望の編目に編込まれることを特徴とするので、一面は生地素材の本来の風合いを発揮して、他面は滑り止め機能を確実に発揮し、また通気性、伸縮性、フィット性に優れ、回復力、耐久性も抜群である。
【００５７】
従って、特に、下着、補正下着等の衣服、また、帽子、靴の中敷、座布団、シーツ等の身回品、さらには、テニスラケット、ゴルフクラブ等のスポーツ用品のグリップに最適に使用でき、例えば下着、補正下着に適用した場合には、夏期等の高温下においてむれや血行不良によるかゆみを生ぜず、しかも粘着体を単に組織布に塗布するのとは異なり軟化することなく長時の使用や洗濯を繰り返して行っても品質が劣化したり、滑り止め材が脱落することなく、また、ゴム紐等とは異なり装用時に締付力による圧迫感はなく、肌に食込み跡を生ぜず、そのうえ塗布作業が不用になり、製品の製作工程を簡略化して製作効率の向上がはかれ、さらには安価に入取が行える。
【００５８】
また、本発明の請求項５に記載の発明は、請求項１，２，３，または４において、表層組織部編成用縦糸は、ウェル方向に配列される所望数本の筬目毎に配索されて各個にコース方向に配索される所望本数が組合わされることにより所望の編目組織柄が編成されることを特徴とし、また、本発明の請求項６に記載の発明は、請求項１，２，３，４，または５において、表層組織部編成用縦糸は、ウェル方向に配列される所望数本の筬目毎に配列される２本１組であり、この表層組織部編成用縦糸により編み込まれるアトラス模様を組合わせて全体形状が略菱形の編目組織柄を編成することを特徴とし、また、本発明の請求項７に記載の発明は、請求項１，２，３，４，または５において、表層組織部編成用縦糸は、ウェル方向に配列される所望数本の筬目毎に配列される２本１組であり、この表層組織部編成用縦糸により編み込まれるハーフ・ネット模様を組合わせて全体形状が２つの略五角形を背中合わせに組合わた編目組織柄を編成することを特徴とし、また、本発明の請求項８に記載の発明は、請求項１，２，３，４，または５において、表層組織部編成用縦糸は、ウェル方向に配列される所望数本の筬目毎に配列される２本１組であり、この表層組織部編成用縦糸により編み込まれるパワー・ネット模様を組合わせて全体形状が略六角形の組織図柄を編成することを特徴とし、また、本発明の請求項９に記載の発明は、請求項１，２，３，４，または５において、表層組織部編成用縦糸は、ウェル方向に配列される所望数本の筬目毎に配列される２本１組であり、この表層組織部編成用縦糸によりデンビー模様の組織図柄を編成することを特徴とするので、組織布の一面に滑り止め機能を確実に発揮する表層組織部を容易かつ確実に編成することができる。
【００５９】
また、本発明の請求項１０に記載の発明は、請求項１，２，３，４，５，６，７，８，または９において、２通りの表層組織部編成用縦糸が組織布の編目組織柄を形成する編目の脚部、または該脚部が交叉して集束されてベース組織布の表面側に露呈されて編込まれることを特徴とし、また、本発明の請求項１１に記載の発明は、請求項１，２，３，４，５，６，７，８，９，または１０において、２通りの表層組織部編成用縦糸が組織布の編目組織柄を含む編目個所に集束されてベース組織布の表面側に露呈されて編込まれることを特徴とするので、組織布の一面に編成される表層組織部の滑り止め機能は優れたものになる。
【００６０】
また、本発明の請求項１２に記載の発明は、請求項１，２，３，４，５，６，７，８，９，１０，または１１において、ベース組織部編成用縦糸と表層組織部編成用縦糸とにより編まれる組織布のベース組織部編成用縦糸に対する表層組織部編成用縦糸の混率が、５０〜８０重量％であることを特徴とするので、１枚の組織布として軽量でありながら強度がある。
【００６１】
また、本発明の請求項１３に記載の発明は、請求項１，２，３，４，５，６，７，８，９，１０，１１，または１２において、ベース組織部編成用縦糸の糸径が３３〜１６７（ＤＴ）であるのに対して表層組織部編成用縦糸の糸径が、４４〜６２０（ＤＴ）であることを特徴とするので、１枚の組織布１であっても、一面（裏面側）はベース組織部２により生地本来の風合いを発揮し、また、単一の１枚の組織布の他面（表面側）に編成されたポリウレタン糸よりなる所望の編目組織柄の表層組織部により滑り止め機能が確実に発揮される。
【００６２】
また、本発明の請求項１４に記載の発明は、請求項１，２，３，４，５，６，７，８，９，１０，１１，１２，または１３において、ベース組織部編成用縦糸と表層組織部編成用縦糸とが目付２００〜８００ｇ／ｍ２であることを特徴とするので、１枚の組織布でありながら一面はベース組織部となし、他面は表層組織部となした強度のある目が詰まった組織布が形成される。
【図面の簡単な説明】
【図１】図１は本発明の滑り止め組織布の編成方法の第１実施形態を示す組織図である。
【図２】図２は同じく斜視図である。
【図３】図３は同じく編目組織の一部を拡大して示した正面図である。
【図４】図４は同じく本発明の滑り止め組織布の編成方法の第２実施形態を示す組織図である。
【図５】図５は同じく本発明の滑り止め組織布の編成方法の第３実施形態を示す組織図である。
【符号の説明】
１    組織布
２    ベース組織部
３    表層組織部
４    ベース組織部編成用縦糸
５    表層組織部編成用縦糸
５Ａ  第１の表層組織部編成用縦糸
５Ｂ  第２の表層組織部編成用縦糸
Ｇ１  編目組織柄
Ｇ２  編目組織柄
Ｇ３  編目組織柄
Ｘ    ウェル方向
Ｙ    コース方向
Ｔ    厚み方向
【図１】
2004176214.tif 000003
【図２】
2004176214.tif 000004
【図３】
2004176214.tif 000005
【図４】
2004176214.tif 000006
【図５】
2004176214.tif 000007